(57)【要約】      （修正有）【課題】梁の割れを防いで堅牢な梁と柱の接合状態を維持できるとともに、施工も容易に行える梁と柱の接合構造を提供する。【解決手段】梁１には梁側通し孔８、柱２には柱側通し孔６をそれぞれ設け、梁側通し孔と柱側通し孔の孔入口にそれぞれラグスクリュー３をネジ込み、さらに、梁外周側ボルト４と柱接合側ボルト１４を連結材５に連結し、柱側通し孔の孔底部にある締結具挿入口にナット９を入れて梁と柱の両側から締結している。これにより、大型の梁を柱に接合する場合であっても、ラグスクリューに係止する梁外周側ボルトの締結具１５と柱接合側ボルトの締結具９がそれぞれ連結材を引寄せるので、梁が梁外周側と柱接合側から圧縮されて梁と柱を堅牢に接合できる。【選択図】図２
2014015771.tif 000002
【特許請求の範囲】
【請求項１】
梁（１）と、柱（２）と、ラグスクリュー（３）と、連結材（５）と、梁外周側ボルト（４）と、柱接合側ボルト（１４）と、締結具（９，１５）を備え、
梁（１）は、梁外周側から柱接合側まで貫通する梁側通し孔（８）が設けてあり、
柱（２）は、梁（１）と接合したときに梁側通し孔（８）と一致する箇所に柱側通し孔（６）が設けてあり、柱側通し孔（６）の孔底部には、柱（２）の外部に開放する締結具挿入口（７）が設けてあり、
ラグスクリュー（３）は、梁外周側ボルト（４）と柱接合側ボルト（１４）の挿入孔（３ａ）を有しており、梁側通し孔（８）の梁外周側及び柱接合側の孔入口（８ａ，８ｂ）と柱側通し孔（６）にそれぞれネジ込まれており、
連結材（５）は、梁外周側ボルト４と柱接合側ボルト（１４）が連結する被連結部（５ａ，５ｂ）をそれぞれ有し、梁側通し孔（８）の梁外周側及び柱接合側の孔入口（８ａ，８ｂ）にそれぞれネジ込まれたラグスクリュー（３）間に位置する状態で梁側通し孔（８）に梁外周側ボルト（４）と同心で回転自在に挿入してあり、
梁外周側ボルト（４）は、ボルト長手方向の一側端部に連結部（４ａ）を有し、梁（１）にネジ込まれたラグスクリュー（３）の挿入孔（３ａ）に挿入してあり、
柱接合側ボルト（１４）は、両側に連結部（１４ａ，１４ｂ）を有し、柱（２）にネジ込まれたラグスクリュー（３）の挿入孔（３ａ）に挿入してあり、梁外周側ボルト（４）と柱接合側ボルト（１４）の連結部（４ａ，１４ａ）を連結材（５）の被連結部（５ａ，５ｂ）にそれぞれ連結することで、梁外周側ボルト（４）と柱接合側ボルト（１４）と連結材（５）とが梁（１）の梁外周側から柱（２）の締結具挿入口（７）まで一続きとなり、  
締結具（９，１５）は、梁外周側ボルト（４）の梁外周側端部と、締結具挿入口（７）から挿入して柱接合側ボルト（１４）の柱側にある連結部（１４ｂ）にそれぞれ締め込んであることを特徴とする梁と柱の接合構造。
【発明の詳細な説明】
【技術分野】
【０００１】
本発明は、建物の梁と柱の接合構造に関するものである。
【背景技術】
【０００２】
梁と柱の接合構造としては、特開平１１−１９３５７２号公報のように、柱の上部に載置した梁とのコーナー内周部に略Ｌ字型をなすアングル金具を沿わせ、さらに、ボルトやネジで固定するものであった。これにより、梁と柱の接合状態を保つものであった。
【先行技術文献】
【特許文献】
【０００３】
【特許文献１】特開平１１−１９３５７２号公報
【発明の概要】
【発明が解決しようとする課題】
【０００４】
梁が大型化すると、それに従って柱との接合箇所における曲げモーメントが大きくなることにより、梁が長手方向に割れる問題点があった。そこで、長尺な金具を用いて梁を上下に貫通して柱まで到達させて両者を固定するものがあったが、長尺に形成することから連結金具にかかるコストが増大するとともに、施工も困難なものとなった。
本発明は上記課題を鑑みてなされたものであり、梁の割れを防いで堅牢な梁と柱の接合状態を維持できるとともに、施工も容易に行える梁と柱の接合構造を提供することにある。
【課題を解決するための手段】
【０００５】
本発明は、梁と、柱と、ラグスクリューと、連結材と、梁外周側ボルトと、柱接合側ボルトと、締結具を備え、梁は、梁外周側から柱接合側まで貫通する梁側通し孔が設けてあり、柱は、梁と接合したときに梁側通し孔と一致する箇所に柱側通し孔が設けてあり、柱側通し孔の孔底部には、柱の外部に開放する締結具挿入口が設けてあり、ラグスクリューは、梁外周側ボルトと柱接合側ボルトの挿入孔を有しており、梁側通し孔の梁外周側及び柱接合側の孔入口と柱側通し孔にそれぞれネジ込まれており、連結材は、梁外周側ボルトと柱接合側ボルトが連結する被連結部をそれぞれ有し、梁側通し孔の梁外周側及び柱接合側の孔入口にそれぞれネジ込まれたラグスクリュー間に位置する状態で梁側通し孔に梁外周側ボルトと同心で回転自在に挿入してあり、梁外周側ボルトは、ボルト長手方向の一側端部に連結部を有し、梁にネジ込まれたラグスクリューの挿入孔に挿入してあり、柱接合側ボルトは、両側に連結部を有し、柱にネジ込まれたラグスクリューの挿入孔に挿入してあり、梁外周側ボルトと柱接合側ボルトの連結部を連結材の被連結部にそれぞれ連結することで、梁外周側ボルトと柱接合側ボルトと連結材とが梁の梁外周側から柱の締結具挿入口まで一続きとなり、締結具は、梁外周側ボルトの梁外周側と、締結具挿入口から挿入して柱接合側ボルトの柱側にある連結部にそれぞれ締め込んであることを特徴とする。
【発明の効果】
【０００６】
本発明によれば、梁には梁側通し孔、柱には柱側通し孔をそれぞれ設け、梁側通し孔と柱側通し孔の孔入口にそれぞれラグスクリューをネジ込み、さらに、梁外周側ボルトと柱接合側ボルトを連結材に連結し、柱側通し孔の孔底部にある締結具挿入口にナットを入れて梁と柱の両側から締結している。これにより、大型の梁を柱に接合する場合であっても、ラグスクリューに係止する梁外周側ボルトの締結具と柱接合側ボルトの締結具がそれぞれ連結材を引寄せるので、梁が梁外周側と柱接合側から圧縮されて梁と柱を堅牢に接合できる。さらに、一般の建物に用いられるような比較的短尺な連結金具を複数組み合わせて使用できることから、従来、集合住宅などの比較的大型の建物に対応した長尺且つ堅牢な連結金具を使用する必要がなく、低コスト化が図れる。しかも、比較的短尺な金具を組み合わせて用いることから、従来使用された長尺な連結金具で締結するものに比べて施工手間が飛躍的に容易となる。
【図面の簡単な説明】
【０００７】
【図１】本実施による梁と柱の接合構造の要部を拡大した縦断面図である。
【図２】図１中Ａを拡大して示す縦断面図である。
【図３】本実施による柱の状態を示す要部を拡大した斜視図である。
【図４】本実施による梁の状態を示す要部を拡大した斜視図である。
【図５（ａ）（ｂ）（ｃ）】本実施による柱と梁の接合構造の施工手順を示す簡略化した要部拡大断面図である。
【発明を実施するための形態】
【０００８】
以下に、図面に基づいて本発明による梁と柱の接合構造の第一実施形態を説明する。
本実施による梁１と柱２の接合構造は、図１と図２のように、垂直な柱２と、柱２の上側の木口に載置される梁１とから構成される。また、梁１と柱２は、後述で詳しく説明するが図２のように、複数種の接合金具（ラグスクリュー３、梁外周側ボルト４、柱接合側ボルト１４、連結材５、ナット（締結具）９）により接合してある。
尚、本実施のものは、柱２の上に梁１を載置する構造であることから、梁外周側を上とし、柱接合側を下と表現するものである。
【０００９】
柱２は、集成材が使用されており、図２と図３を参照すれば、上側の木口２ａにおける間隔をあけた４カ所に、柱側通し孔６が設けてある。また、柱側通し孔６の孔底部は、柱２の側部外周側に開放しており、この側部外周側には締結具挿入口７が設けてある。
【００１０】
梁１は、図２と図４を参照すれば、柱２の上側の木口２ａと接合する接合面１ａがほぼフラットに形成してあり、さらに、接合面１ａから離れる方向に向けて上り勾配に伸びるものである。また、本実施による梁１は、この梁１側面の上下方向の寸法が１２００ｍｍを越える大型のものが使用されている。また、梁１の柱２との接合面１ａには、上下に貫通する梁側通し孔８が間隔をあけた４カ所に設けてあり、この梁側通し孔８は、梁１と柱２を当接したときに柱側通し孔６と一致する位置に設けてある。
【００１１】
梁１と柱２を接合する各接合金具は、図２のように、上述したラグスクリュー３と、梁外周側ボルト４と、柱接合側ボルト１４と、連結材５と、ナット（締結具）９とから構成してある。ラグスクリュー３は、梁外周側ボルト４と柱接合側ボルト１４を挿入する挿入孔３ａを有する筒状をなし、その筒外周側にスクリュー状をなすネジ山が切られたものである。また、ラグスクリュー３は、本実施のものでは梁１の四カ所に設けてある梁側通し孔８の梁外周側の孔入口８ａと柱接合側の孔入口８ｂ、そして、本実施のものでは柱２の四カ所に設けてある柱側通し孔６にネジ込まれている。柱接合側ボルト１４は、ボルト長手方向の両端に雄ネジ４ａ，１４ａ，１４ｂが切られたものである。また、梁外周側ボルト４は、ボルト長手方向の一側端部にボルトヘッド（締結具）１５を有し、他側端部に雄ネジ（連結部）４ａを有している。また、梁外周側ボルト４は、梁１のすべての梁側通し孔８に挿通されており、梁外周側ボルト４のボルトヘッド１５と柱接合側ボルト１４の雄ネジ１４ｂは、それぞれ梁１と柱２の外部に露出する。連結材５は、筒型をなしており、その筒長手方向の両側端部に雌ネジ（被連結部）５ａ，５ｂがそれぞれ切られている。また、連結材５の雌ネジ５ａ，５ｂは、梁外周側ボルト４の雄ネジ４ａと柱接合側ボルト１４の雄ネジ１４ａ，１４ｂにネジ止めして連結できるように形成してある。
【００１２】
上記のように構成される本実施による梁１と柱２の接合構造の施工手順は以下のように行われる。
第一の手順として、図５（ａ）のように、梁１の梁側通し孔８の柱接合側の孔入口８ｂにラグスクリュー３をネジ込み、このラグスクリュー３により柱接合側が塞がった梁側通し孔８の上側に連結材５を挿入する。さらに、梁側通し孔８の梁外周側の孔入口８ａにラグスクリュー３をネジ込む。
第二の手順として図５（ｂ）のように、柱２の上側の木口２ａに設けた柱側通し孔６にラグスクリュー３をネジ込む。さらに、柱２の柱側通し孔６にネジ込んだラグスクリュー３の挿入孔３ａに柱接合側ボルト１４を挿入し、梁１の接合面１ａを柱２の木口２ａに載せる。柱側通し孔８の孔底部と連通する締結具挿入口７にナット９を挿入し、柱接合側ボルト１４の下側の雄ネジ１４ｂにナット９に仮締めする。また、梁１の梁外周側面にネジ込まれたラグスクリュー３の挿入孔３ａに梁外周側ボルト４を挿入し、梁外周側ボルト４の雄ネジ４ａを連結材５の雌ネジ５ａにネジ込む。
第三の手順として図５（ｃ）のように、梁外周側ボルト４のボルトヘッド１５を締め込むことにより、締結具挿入口７に挿入されたナット９との間で梁外周側ボルト４と連結材５のすべてが締め込まれていく。これにより、梁外周側ボルト４と連結材５が一続きとなることから、梁外周側ボルト４が梁外周側に、また、柱接合側ボルト１４が柱接合側にそれぞれ引き寄せられるので、梁１と柱２は、ボルトヘッド１５とナット９間に圧縮される状態で固定される。
【００１３】
上記のように本実施による梁１と柱２の接合構造を形成することにより、梁１の上下方向の寸法が実施のもののように１２００ｍｍを越えるような大型のものを柱２に接合をするときに、梁１の上端から柱２の所定の位置まで届くような長尺な連結金具を使用することなく、梁１の長手方向の割れを防いで堅牢な梁１と柱２の接合ができるようになる。具体的には、梁１と柱２が接合する箇所に突き合わさった状態でラグスクリュー３が埋め込まれることにより引き抜き耐力が得られる。さらに、梁１の上下にネジ込まれたラグスクリュー３間に配置してあり且つ梁外周側ボルト通し孔８に挿入された連結材５の上側の雌ネジ５ａに、梁外周側ボルト４の雄ネジ４ａをネジ込んで連結する。さらに、この連結材５の下側の雌ネジ５ｂに柱接合側ボルト１４の雄ネジ４ａをネジ込んで連結する。そして、柱２の締結具挿入口７にナット９を入れて柱接合側ボルト１４の柱側に設けてある雄ネジ１４ｂに仮締めする。最後に、ボルトヘッド１５を回してナット９を締め込むことにより、連結材５に連結した梁外周側ボルト４が梁外周側に引き寄せられるとともに、同じく連結材５に連結した柱接合側ボルト１４が柱接合側に引き寄せられる。したがって、梁１と柱２を圧縮する状態で接合がなされ、梁の長手方向の割れが防がれることになる。
【００１４】
本発明の梁１と柱２の接合構造は、上記実施形態のものに限定されない。上記実施形態では、柱２の上に梁２を載置するものを説明したが、柱２の側面に梁１を接合するものであってもよく、この場合には、梁外周側と柱接合側が左右の何れかとなる。また、本梁１と柱２の接合構造が適用される梁１の寸法については、梁外周側ボルト４、柱接合側ボルト１４、連結材５の長さを変更することで梁１の様々な寸法の違いに対応できる。さらに、ラグスクリュー３は、本梁１と柱２の接合構造に使用するものすべての長さがほぼ同一寸法としてあることにより、梁１と柱２の何れにも共通して使用できる。また、締結具９，１５は、柱接合側ボルト１４に締結するものについては別部材で連結部１４ａ，１４ｂから取り外すことができるものを使用するが、梁外周側ボルト４に締結するものについては、梁外周側ボルト４と一体または別部材の何れでもよい。
【符号の説明】
【００１５】
１  梁
２  柱
３  ラグスクリュー
４  梁外周側ボルト
４ａ，１４ａ，１４ｂ  雄ネジ（連結部）
５  連結材
５ａ，５ｂ  雌ネジ（被連結部）
６  柱側通し孔
７  締結具挿入口
８  梁側通し孔
８ａ，８ｂ  孔入口
９  ナット（締結具）
１４  柱接合側ボルト
１５  ボルトヘッド（締結具）
【図１】
2014015771.tif 000003
【図２】
2014015771.tif 000004
【図３】
2014015771.tif 000005
【図４】
2014015771.tif 000006
【図５（ａ）（ｂ）（ｃ）】
2014015771.tif 000007